(57)【要約】  情報記録再生装置は、半導体レーザ等の放射光源１と、放射光源１から出射されたレーザ光２を多数の回折光に分離する空間変調素子６と、前記多数の回折光をそれぞれ異なった点に集光する対物レンズ７とを備えている。放射光源１から出射されたレーザ光２が、空間変調素子６によって多数の回折光に分離され、前記多数の回折光が、対物レンズ７によって情報記録媒体８の感光層８ｂ内のそれぞれ異なった点に集光され、これら集光点の集合によって情報記録媒体８の感光層８ｂに情報が記録される。これにより、信号記録時に迷光や回折の影響がない高コントラストの記録を実現することのできる情報記録装置を提供することができる。
2008029614.tif 000002
【特許請求の範囲】
【請求項１】
光源と、前記光源から出射された光を多数の回折光に分離する回折手段と、前記多数の回折光をそれぞれ異なった点に集光する集光手段とを備え、
前記光源から出射された光が、前記回折手段によって多数の回折光に分離され、前記多数の回折光が、前記集光手段によって情報記録媒体の感光層内のそれぞれ異なった点に集光され、これら集光点の集合によって前記情報記録媒体の前記感光層に情報が記録されることを特徴とする情報記録装置。
【請求項２】
光源と、前記光源から出射された光を集光する集光手段と、微細な光検出セルの集合によって構成された信号検出器とを備え、
前記光源から出射された光が、前記集光手段によって情報記録媒体の感光層を透過して前記情報記録媒体の反射面上に集光されると共に、前記反射面で反射して前記感光層を再度透過し、
往路と復路での前記感光層の透過によって前記集光手段に向かう再生回折光が発生し、
前記再生回折光が前記集光手段を経て前記信号検出器に入射し、前記光検出セルによって前記感光層の情報が再生されることを特徴とする情報再生装置。
【請求項３】
前記回折手段の表面は微細領域の集合によって構成され、前記微細領域は、前記回折手段に入力される電気信号によって個別に上下して凹凸の表面を形成し、前記凹凸の表面で反射する光の位相を空間的に変調して、多数の回折光を発生させる請求項１に記載の情報記録装置。
【請求項４】
前記回折手段は微細領域の集合によって構成され、前記微細領域は、前記回折手段に入力される電気信号によって内部の屈折率が個別に変化し、前記微細領域を透過する光の位相を空間的に変調して、多数の回折光を発生させる請求項１に記載の情報記録装置。
【請求項５】
微細な光検出セルの集合によって構成された信号検出器をさらに備え、
前記回折手段で反射する光が回折しない条件で、一部の前記光検出セルの各中心を発光する等強度の光と、前記光源から出射され前記集光手段によって情報記録媒体の反射面上に集光される光と、前記反射面で反射する光とを前記感光層内で干渉させて得られる第１の干渉パターンの第１の光分布を計算し、
前記干渉パターンの領域を同じ寸法の微小体で分割し、前記微小体内に含まれる光量を計算して大きい順にｎ個の微小体を抽出し、前記微小体内に含まれる光量を前記微小体の体積で割った値の光強度で前記微小体の中心から発光するｎ個の光と、前記光源から出射される光とを前記回折手段の表面上で干渉させて得られる第２の干渉パターンの光分布を計算し、前記第２の干渉パターンの光分布によって前記回折手段の表面の凹凸分布を割り出す請求項３に記載の情報記録装置。
【請求項６】
微細な光検出セルの集合によって構成された信号検出器をさらに備え、
前記回折手段を透過する光が回折しない条件で、一部の前記光検出セルの各中心を発光する等強度の光と、前記光源から出射され前記集光手段によって前記情報記録媒体の反射面上に集光される光と、前記反射面で反射する光とを前記感光層内で干渉させて得られる第１の干渉パターンの第１の光分布を計算し、
前記干渉パターンの領域を同じ寸法の微小体で分割し、前記微小体内に含まれる光量を計算して大きい順にｎ個の微小体を抽出し、前記微小体内に含まれる光量を前記微小体の体積で割った値の光強度で前記微小体の中心から発光するｎ個の光と、前記光源から出射される光とを前記回折手段の表面上で干渉させて得られる第２の干渉パターンの光分布を計算し、前記第２の干渉パターンの光分布によって前記回折手段の屈折率分布を割り出す請求項４に記載の情報記録装置。
【請求項７】
前記光検出セルが、当該光検出セルに配置される発光点の位相が０又はπの２種類の領域に分けられ、これら２種類の領域が交互に並んでいる請求項５又は６に記載の情報記録装置。
【請求項８】
前記微小体の中心から発光する光の位相が揃っている請求項５又は６に記載の情報記録装置。
【請求項９】
発光する光の基点となる前記光検出セルの組合わせを変えながら前記第１及び第２の干渉パターンの光分布を順次計算して前記回折手段の表面の凹凸分布を割り出し、前記凹凸分布をメモリに格納し、信号記録時に、前記メモリから前記凹凸分布を読み込んで、前記凹凸の表面で反射する光の位相を空間的に変調する請求項５に記載の情報記録装置。
【請求項１０】
発光する光の基点となる前記光検出セルの組合わせを変えながら前記第１及び第２の干渉パターンの光分布を順次計算して前記回折手段の屈折率分布を割り出し、前記屈折率分布をメモリに格納し、信号記録時に、前記メモリから前記屈折率分布を読み込んで、前記微細領域を透過する光の位相を空間的に変調する請求項６に記載の情報記録装置。
【発明の詳細な説明】
【技術分野】
【０００１】
本発明は、情報記録媒体に記録信号を記録するための情報記録装置、及び情報記録媒体に記録された記録信号を再生するための情報再生装置に関する。
【背景技術】
【０００２】
従来、この種の情報記録再生装置としては、例えば、特許文献１に開示されたものが知られている。ここでは、この先行例を原型とし、若干の修正を加えた形で、図５、図６を参照しながら説明する。【０００３】
図５は、従来技術における、信号記録時の、情報記録再生装置の断面構成の一部と情報記録媒体の内部での光束の様子とを示す図である。【０００４】
図５に示すように、半導体レーザ等の放射光源から出射されたＰ偏光のレーザ光は、コリメートレンズによって集光されて平行光となった後、ハーフミラーによって２分配される。ハーフミラーによって２分配された一方の光は、１／２波長板を透過してＳ偏光の光２ａとなり（ここまでは図５には示されていないが、以後は破線で表示）、空間変調素子１７と凸レンズ４’を順次透過して弱い集光性の光となった後、偏光ビームスプリッタ５’に入射する。偏光ビームスプリッタ５’に入射した光２ａは、その偏光面５ａ’で反射して接合ジャイレータ１８を透過した後、対物レンズ７によって集光されて、情報記録媒体８の反射面８Ｓの手前の点Ｐb に収束する光束２０ａとなる。そして、光束２０ａは、点Ｐb を境に光軸Ｌの反対側に移る。【０００５】
接合ジャイレータ１８は、光軸Ｌを通り紙面に垂直な平面で２つに分けられ、上半分の領域１８ａでは透過光の偏光方向を時計回りに４５度回転させ、下半分の領域１８ｂでは透過光の偏光方向を反時計回りに４５度回転させる旋光子を接合したものである。【０００６】
放射光源から出射されたＰ偏光のレーザ光のうち、コリメートレンズによって集光されて平行光となった後、ハーフミラーによって２分配されたもう一方の光２ｂ（ここまでは図５には示されていないが、以後は実線で表示）は、光軸Ｌに沿って偏光ビームスプリッタ５’の偏光面５ａ’、接合ジャイレータ１８を順次透過した後、対物レンズ７によって集光されて、情報記録媒体８の反射面８Ｓ上の点Ｐ0 に収束する光束２０ｂとなる。【０００７】
情報記録媒体８は、透明層８ａと、透明基板８ｃと、これらに挟まれたフォトポリマー等の感光層８ｂとにより構成されている。収束点Ｐ0 と収束点Ｐb は、感光層８ｂに対してほぼ対称に形成される。【０００８】
空間変調素子１７は、例えば、強誘電性液晶パネルによって構成され、光２ａが透過する領域内で碁盤の目状に分割されている。そして、それぞれの領域で独立して位相がπずれたり（位相変調）、又は透過率がゼロになったりしており（振幅変調）、この変調パターンは外部の信号に基づいて更新される。【０００９】
図５から明らかなように、光束２０ａと光束２０ｂは、情報記録媒体８の感光層８ｂの領域で交差する。光束２０ｂのうちで円１９内を通る光線２Ｂは、Ｐ偏光が接合ジャイレータ１８の領域１８ｂによって反時計回りに４５度回転したものとなっており、光束２０ａのうちで円１９内を通る光線２Ａは、Ｓ偏光が接合ジャイレータ１８の領域１８ａによって時計回りに４５度回転したものとなっている。結局、円１９内では光線２Ａ、２Ｂの偏光方向が揃うことになる。この関係は、光軸Ｌを挟んで円１９の反対側に位置する円内を通る光線についても同じである。このように、感光層８ｂの領域では光束２０ａ、２０ｂの偏光方向が揃うので、光束２０ａ、２０ｂは、互いに干渉して干渉縞を形成する。そして、半導体レーザ等の放射光源の出力が大きい場合には、光束２０ａ、２０ｂが感光層８ｂを感光させて、感光パターン２１（干渉縞の光強度分布に対応して屈折率が変化したパターン）を形成する。この感光パターン２１は、空間変調素子１７の変調パターンに対応したパターンとなる（すなわち、感光パターン２１は、空間変調素子１７の変調パターンごとに異なるパターンとして記録される）。【００１０】
情報記録媒体８は、モータに取り付けられ、当該モータの回転と共に回転する。反射面８Ｓの表面には、回転方向に沿って径方向に周期的な案内溝（グレーティング）が等ピッチで形成されている。【００１１】
光束２０ｂの収束点Ｐ0 は、案内溝上に位置し、情報記録媒体８の回転に伴って案内溝に沿って移動する。光束２０ｂは、反射面８Ｓで反射した後、情報記録媒体８を透過し、対物レンズ７によって平行光に変換される。そして、往路において接合ジャイレータ１８の領域１８ａを透過して偏光方向が時計回りに４５度回転していた光は、復路においては接合ジャイレータ１８の領域１８ｂを透過して元の偏光方向に戻される。また、往路において接合ジャイレータ１８の領域１８ｂを透過して偏光方向が反時計回りに４５度回転していた光も、復路においては接合ジャイレータ１８の領域１８ａを透過して元の偏光方向に戻される。結局、光束２０ｂの戻り光は、接合ジャイレータ１８を透過することによってＰ偏光の光に戻り、偏光ビームスプリッタ５’の偏光面５ａ’を透過した後、ホログラム等の分岐手段によって光検出器側に導かれる（この部分は図５には示されていない）。そして、光検出器からの検出信号により、反射面８Ｓに対するフォーカスエラー信号と案内溝に対するトラッキングエラー信号とが生成され、これらの信号に基づいて、光束２０ｂの収束点が反射面８Ｓ上の案内溝上に制御されるように、対物レンズ７が駆動される。【００１２】
図６は、従来技術における、信号再生時の、情報記録再生装置の断面構成の一部と情報記録媒体の内部での光束の様子とを示す図である。図６においては、図５に比べて、空間変調素子１７の変調パターンが異なっている。【００１３】
図６に示すように、放射光源から出射されたＰ偏光のレーザ光は、コリメートレンズによって集光されて平行光となった後、ハーフミラーによって２分配される。ハーフミラーによって２分配された一方の光２ｂ’（ここまでは図６には示されていないが、以後は実線で表示）は、光軸Ｌに沿って偏光ビームスプリッタ５’の偏光面５ａ’、接合ジャイレータ１８を順次透過し、接合ジャイレータ１８のそれぞれの領域１８ａ、１８ｂで偏光方向が時計回り、反時計回りに４５度回転した後、対物レンズ７によって集光されて、情報記録媒体８の反射面８Ｓ上の点Ｐ0 に収束する。反射面８Ｓで反射した光線（反射光）２Ｂ’は、感光パターン２１内の円１９内を伝搬することによって回折光２Ａ’を派生して、光束２０ａ’となる。回折光２Ａ’は、点Ｐb に集光した後、光軸Ｌの反対側に移る。そして、当該回折光２Ａ’は、対物レンズ７によって弱い発散性の光となった後、接合ジャイレータ１８によって偏光状態が変えられる。回折光２Ａ’の偏光状態が反射光２Ｂ’のそれと一致しており、往路においてＰ偏光が接合ジャイレータ１８の領域１８ａを透過するので、回折光２Ａ’は、Ｐ偏光が時計回りに４５度回転したものとなっている。これに対し、光軸Ｌを挟んで円１９の反対側に位置する円内を伝搬することによって派生した回折光は、Ｐ偏光が反時計回りに４５度回転したものとなっている。これらの回折光が接合ジャイレータ１８を透過すると、接合ジャイレータ１８のそれぞれの領域１８ａ、１８ｂで偏光方向が時計回り、反時計回りに４５度回転するので、結局、光束２０ａ’は、Ｓ偏光の光束に変換される。従って、光束２０ａ’は、偏光ビームスプリッタ５’の偏光面５ａ’で反射し、凸レンズ４’によって平行光に変換された後、空間変調素子１７を透過する。空間変調素子１７は、上記のように、強誘電性液晶パネル等によって構成されており、この信号再生時においては、外部の信号に基づき、透過光を変調しないでそのまま通している。空間変調素子１７を透過する光２ａ’は、感光パターン２１の記録信号が反映され、信号記録時の空間変調素子１７の変調パターンが光２ａ’の光強度分布パターンとなって再現される。この透過光２ａ’は、ホログラムやハーフミラー等によって往路の光路と分岐され、コリメ−トレンズによって集光されて光検出器に導かれる。そして、空間変調素子１７の分割パターンに対応した碁盤の目状の光検出セルによって信号光が検出されて、記録信号が再生される。【００１４】
一方、感光パターン２１の領域内での伝搬によって回折しなかった成分２０ｂ’は、情報記録媒体８を透過した後、対物レンズ７によって平行光に変換される。そして、往路において接合ジャイレータ１８の領域１８ａを透過して偏光方向が時計回りに４５度回転していた光は、復路においては接合ジャイレータ１８の領域１８ｂを透過して元の偏光方向に戻される。また、往路において接合ジャイレータ１８の領域１８ｂを透過して偏光方向が反時計回りに４５度回転していた光も、復路においては接合ジャイレータ１８の領域１８ａを透過して元の偏光方向に戻される。結局、反射光束２０ｂ’は、接合ジャイレータ１８を透過することによってＰ偏光の光に戻り、偏光ビームスプリッタ５’の偏光面５ａ’を透過した後、ホログラム等の分岐手段によって光検出器側に導かれる。そして、光検出器からの検出信号により、反射面８Ｓに対するフォーカスエラー信号と案内溝に対するトラッキングエラー信号とが生成され、これらの信号に基づいて、収束光の収束点Ｐ0 が反射面８Ｓ上の案内溝上に制御されるように、対物レンズ７が駆動される。
【特許文献１】特開平１１−３１１９３８号公報
【発明の開示】
【発明が解決しようとする課題】
【００１５】
しかし、上記従来の情報記録再生装置には、以下のような問題がある。【００１６】
まず、信号記録時には次のような問題がある。すなわち、図５において、光束２０ａと光束２０ｂに対する情報記録媒体８の反射面８Ｓからの反射光束は、いずれもその一部が感光パターン２１の領域上を透過する。これらの反射光束は、感光パターン２１の形成においては迷光であり、大きなノイズを含んだ記録状態となる。また、空間変調素子１７を透過した光２ａは、周期的に位相や振幅が変化しているために回折し易く、発生した回折光は、空間変調素子１７と感光パターン２１との距離に比例して透過光（０次回折光）から分離する。そして、この分離が大きすぎると、感光パターン２１の領域を外れてしまう。０次回折光には空間変調素子１７による信号情報が含まれていないので、回折光成分の少ない感光パターン２１は、信号情報が少なく、再生時にコントラストの悪い信号となってしまう。【００１７】
また、信号再生時には次のような問題がある。すなわち、図６において、記録信号の再生像は空間変調素子１７の上に反映される。再生信号の光検出器は、空間変調素子１７から離れた位置に配置されるため、光が空間変調素子１７から光検出器まで伝搬する間に回折が発生して互いにオーバーラップするので、再生像の品質が著しく劣化してしまう。【００１８】
本発明は、従来技術における前記課題を解決するためになされたものであり、信号記録時に迷光や回折の影響がない高コントラストの記録を実現することのできる情報記録装置、及び信号再生時に光検出面上での信号品質を大幅に改善することのできる情報再生装置を提供することを目的とする。
【課題を解決するための手段】
【００１９】
前記目的を達成するため、本発明に係る情報記録装置の構成は、光源と、前記光源から出射された光を多数の回折光に分離する回折手段と、前記多数の回折光をそれぞれ異なった点に集光する集光手段とを備え、前記光源から出射された光が、前記回折手段によって多数の回折光に分離され、前記多数の回折光が、前記集光手段によって情報記録媒体の感光層内のそれぞれ異なった点に集光され、これら集光点の集合によって前記情報記録媒体の前記感光層に情報が記録されることを特徴とする。【００２０】
また、本発明に係る情報再生装置の構成は、光源と、前記光源から出射された光を集光する集光手段と、微細な光検出セルの集合によって構成された信号検出器とを備え、前記光源から出射された光が、前記集光手段によって情報記録媒体の感光層を透過して前記情報記録媒体の反射面上に集光されると共に、前記反射面で反射して前記感光層を再度透過し、往路と復路での前記感光層の透過によって前記集光手段に向かう再生回折光が発生し、前記再生回折光が前記集光手段を経て前記信号検出器に入射し、前記光検出セルによって前記感光層の情報が再生されることを特徴とする。【００２１】
前記本発明の情報記録装置の構成においては、前記回折手段の表面は微細領域の集合によって構成され、前記微細領域は、前記回折手段に入力される電気信号によって個別に上下して凹凸の表面を形成し、前記凹凸の表面で反射する光の位相を空間的に変調して、多数の回折光を発生させるのが好ましい。また、この場合には、微細な光検出セルの集合によって構成された信号検出器をさらに備え、前記回折手段で反射する光が回折しない条件で、一部の前記光検出セルの各中心を発光する等強度の光と、前記光源から出射され前記集光手段によって情報記録媒体の反射面上に集光される光と、前記反射面で反射する光とを前記感光層内で干渉させて得られる第１の干渉パターンの第１の光分布を計算し、前記干渉パターンの領域を同じ寸法の微小体で分割し、前記微小体内に含まれる光量を計算して大きい順にｎ個の微小体を抽出し、前記微小体内に含まれる光量を前記微小体の体積で割った値の光強度で前記微小体の中心から発光するｎ個の光と、前記光源から出射される光とを前記回折手段の表面上で干渉させて得られる第２の干渉パターンの光分布を計算し、前記第２の干渉パターンの光分布によって前記回折手段の表面の凹凸分布を割り出すのが好ましい。この場合にはさらに、前記光検出セルが、当該光検出セルに配置される発光点の位相が０又はπの２種類の領域に分けられ、これら２種類の領域が交互に並んでいるのが好ましく、前記微小体の中心から発光する光の位相が揃っているのが好ましい。この場合にはさらに、発光する光の基点となる前記光検出セルの組合わせを変えながら前記第１及び第２の干渉パターンの光分布を順次計算して前記回折手段の表面の凹凸分布を割り出し、前記凹凸分布をメモリに格納し、信号記録時に、前記メモリから前記凹凸分布を読み込んで、前記凹凸の表面で反射する光の位相を空間的に変調するのが好ましい。【００２２】
また、前記本発明の情報記録装置の構成においては、前記回折手段は微細領域の集合によって構成され、前記微細領域は、前記回折手段に入力される電気信号によって内部の屈折率が個別に変化し、前記微細領域を透過する光の位相を空間的に変調して、多数の回折光を発生させるのが好ましい。また、この場合には、微細な光検出セルの集合によって構成された信号検出器をさらに備え、前記回折手段を透過する光が回折しない条件で、一部の前記光検出セルの各中心を発光する等強度の光と、前記光源から出射され前記集光手段によって前記情報記録媒体の反射面上に集光される光と、前記反射面で反射する光とを前記感光層内で干渉させて得られる第１の干渉パターンの第１の光分布を計算し、前記干渉パターンの領域を同じ寸法の微小体で分割し、前記微小体内に含まれる光量を計算して大きい順にｎ個の微小体を抽出し、前記微小体内に含まれる光量を前記微小体の体積で割った値の光強度で前記微小体の中心から発光するｎ個の光と、前記光源から出射される光とを前記回折手段の表面上で干渉させて得られる第２の干渉パターンの光分布を計算し、前記第２の干渉パターンの光分布によって前記回折手段の屈折率分布を割り出すのが好ましい。この場合にはさらに、前記光検出セルが、当該光検出セルに配置される発光点の位相が０又はπの２種類の領域に分けられ、これら２種類の領域が交互に並んでいるのが好ましく、前記微小体の中心から発光する光の位相が揃っているのが好ましい。この場合にはさらに、発光する光の基点となる前記光検出セルの組合わせを変えながら前記第１及び第２の干渉パターンの光分布を順次計算して前記回折手段の屈折率分布を割り出し、前記屈折率分布をメモリに格納し、信号記録時に、前記メモリから前記屈折率分布を読み込んで、前記微細領域を透過する光の位相を空間的に変調するのが好ましい。
【発明の効果】
【００２３】
本発明によれば、記録信号の再生像が最適となるように感光層の記録を行うことができるので、記録信号の読み誤りをなくすことが可能となる。さらには、記録信号の読み誤りが少ない分、信号の密度を高くすることができるので、大容量のメモリを実現することができる。
【図面の簡単な説明】
【００２４】
【図１】図１は、本発明の一実施の形態における、信号記録時の、情報記録再生装置の断面構成と情報記録媒体の内部での光束の様子とを示す図である。
【図２】図２は、本発明の一実施の形態における、信号記録時の、情報記録再生装置の空間変調素子の構成を示しており、（ａ）は当該空間変調素子の反射面を示す平面図、（ｂ）は当該空間変調素子の断面図、（ｃ）は当該空間変調素子を構成するアクチュエータの動作状態を示す模式図である。
【図３】図３は、本発明の一実施の形態における、信号再生時の、情報記録再生装置の断面構成と情報記録媒体の内部での光束の様子とを示す図である。
【図４】図４は、本発明の一実施の形態における情報記録再生装置の信号再生用光検出器（信号検出器）の検出面を示す平面図である。
【図５】図５は、従来技術における、信号記録時の、情報記録再生装置の断面構成の一部と情報記録媒体の内部での光束の様子とを示す図である。
【図６】図６は、従来技術における、信号再生時の、情報記録再生装置の断面構成の一部と情報記録媒体の内部での光束の様子とを示す図である。
【発明を実施するための最良の形態】
【００２５】
以下、本発明の実施の形態について、図１〜図４を参照しながら説明する。尚、従来技術における情報記録再生装置と共通の構成部材については、同一の参照符号を付して説明する。【００２６】
図１は、本発明の一実施の形態における、信号記録時の、情報記録再生装置の断面構成と情報記録媒体の内部での光束の様子とを示す図である。【００２７】
図１に示すように、本実施の形態の情報記録再生装置は、半導体レーザ等の放射光源１と、放射光源１から出射された波長λのレーザ光２を多数の回折光に分離する回折手段としての空間変調素子６と、前記多数の回折光をそれぞれ異なった点に集光する集光手段としての対物レンズ７とを備えている。【００２８】
また、本実施の形態の情報記録再生装置は、放射光源１から出射されたレーザ光２を平行光に変換するコリメートレンズ４と、前記平行光を空間変調素子６に向けて反射するハーフミラー５と、光検出器１０ａ、１０ｂと、戻り光を＋１次回折光９ａと−１次回折光９ｂとに分離して、それぞれ光検出器１０ａ、１０ｂに入射させるホログラム３とを備えている。【００２９】
空間変調素子６の反射面６ａは、半導体プロセスによって形成される微細なアクチュエータの集合によって構成され、個々のアクチュエータは、制御装置１１の制御信号（電気信号）に基づいて、上下方向（反射面６ａの法線方向）に変位する。【００３０】
情報記録媒体８は、透明層８ａと、透明基板８ｃと、これらに挟まれたフォトポリマー等の感光層８ｂとにより構成されている。透明層８ａの表面は、反射膜が形成されて、反射面８Ｓとなっている。ここで、情報記録媒体８の反射面８Ｓには、案内溝や案内ピットが形成されている。【００３１】
放射光源１から出射されたレーザ光２は、ホログラム３を透過し、コリメートレンズ４によって集光されて平行光となった後、ハーフミラー５のミラー面５ａで反射する。ハーフミラー５のミラー面５ａで反射した光は、空間変調素子６の反射面６ａで反射して光２ｃとなり、対物レンズ７によって集光されて、情報記録媒体８の反射面８Ｓ上の点Ｐ0 に収束する。反射面８Ｓで反射した光は、対物レンズ７、空間変調素子６の反射面６ａ、ハーフミラー５のミラー面５ａを経て、コリメートレンズ４によって集光される。コリメートレンズ４によって集光された光は、ホログラム３によって＋１次回折光９ａと−１次回折光９ｂとに分離され、それぞれ光検出器１０ａ、１０ｂに入射する。光検出器１０ａ、１０ｂからは、反射面８Ｓに対するフォーカスエラー信号と、案内溝や案内ピットに対するトラッキングエラー信号とが生成される。そして、対物レンズ７は、これらの信号に基づいて、反射面８Ｓ上の集光スポットにディフォーカスやオフトラックが発生しないように駆動される。【００３２】
空間変調素子６の個々のアクチュエータの変位により、空間変調素子６の反射面６ａで反射する光は多数の回折光に分離され、これら多数の回折光は、対物レンズ７によって、反射面８Ｓの手前にある感光層８ｂ内の点Ｐ1 、Ｐ2 、・・・、Ｐn のｎ個の点に集光する。これにより、感光層８ｂ内で特定の干渉パターンが形成される。ｎは例えば１０万〜１００万程度の数である。この干渉パターンの強度分布に沿って感光層８ｂが感光し、光強度に応じて屈折率が変化する。すなわち、集光点Ｐ1 、Ｐ2 、・・・、Ｐn の集合によって情報記録媒体８の感光層８ｂに記録信号（情報）が記録される。【００３３】
尚、集光点Ｐ1 、Ｐ2 、・・・、Ｐn は、いずれも０次回折光（集光点Ｐ0 に向かう光）が形成する円錐体（対物レンズ７の開口が方形であれば、四角錐体の内部に存在する点である。【００３４】
図２は、本実施の形態における、信号記録時の、情報記録再生装置の空間変調素子の構成を示しており、（ａ）は当該空間変調素子の反射面を示す平面図、（ｂ）は当該空間変調素子の断面図、（ｃ）は当該空間変調素子を構成するアクチュエータの動作状態を示す模式図である。【００３５】
図２（ａ）、（ｂ）に示すように、空間変調素子６の反射面６ａは、碁盤の目状（六角形などの多角形であってもよい）の微細領域（図２（ｂ）、（ｃ）に示すアクチュエータ６ａ１のミラー６ｄ１）に分割され、碁盤の目の一つ一つの微細領域が紙面に平行な反射面をなしている。ここで、空間変調素子６の反射面６ａは、多数のアクチュエータ６ａ１によって隙間がないように埋められている。そして、碁盤の目の一つ一つの微細領域は、制御装置１１（図１参照）からの制御信号によって図２（ａ）の紙面法線方向に個別に上下して、凹凸の表面を形成する（図２（ｂ））。これにより、反射面６ａで反射する光２ｃの位相が空間的に変調されて、多数の回折光に分離される。【００３６】
図２（ｃ）に示すように、アクチュエータ６ａ１は、ミラー６ｄ１と、電極板６ｂ１、６ｃ１とにより構成され、ミラー６ｄ１は電極板６ｃ１に接続されている。そして、電極板６ｂ１、６ｃ１に与えられる電荷量に伴うクーロン力により、電極板６ｃ１が撓み、ミラー６ｄ１が最大で変位量δだけ降下する（図２（ｃ）の右図）。図２（ｃ）の右図は、電極板６ｂ１、６ｃ１に逆極性の電荷を与えて、電極板６ｂ１、６ｃ１が引き合うようにした場合を示しているが、電極板６ｂ１、６ｃ１に同極性の電荷を与えると、ミラー６ｄ１が変位量δだけ上昇する。空間変調素子６の反射面６ａの法線が入射光の光軸となす角をθ、レーザ光２の波長をλとすると、ミラー６ｄ１の変位量δはλｃｏｓθ以上であれば十分であり、±δの降下上昇によって反射光の位相の全て（−π〜π）を表現することができる。【００３７】
図３は、本実施の形態における、信号再生時の、情報記録再生装置の断面構成と情報記録媒体の内部での光束の様子とを示す図である。【００３８】
図３に示すように、本実施の形態の情報記録再生装置は、信号検出器としての信号再生用光検出器１４と、ハーフミラー５のミラー面５ａを透過した戻り光を信号再生用光検出器１４上に集光するコリメートレンズ１３とをさらに備えている。その他の構成は、図１に示す情報記録再生装置と同様であるため、図１に示す部材と同一の部材には同一の参照符号を付し、それらの説明は省略する。【００３９】
放射光源１から出射されたレーザ光２は、ホログラム３を透過し、コリメートレンズ４によって集光されて平行光となった後、ハーフミラー５のミラー面５ａで反射する。ハーフミラー５のミラー面５ａで反射した光は、空間変調素子６の反射面６ａで反射し、対物レンズ７によって集光されて、情報記録媒体８の感光層８ｂを透過して（往路での透過）情報記録媒体８の反射面８Ｓ上の点Ｐ0 に収束する。反射面８Ｓで反射した光は、感光層８ｂを再度透過し（復路での透過）、対物レンズ７、空間変調素子６の反射面６ａ、ハーフミラー５のミラー面５ａを経て、コリメートレンズ４によって集光される。コリメートレンズ４によって集光された光は、ホログラム３によって＋１次回折光９ａと−１次回折光９ｂとに分離され、それぞれ光検出器１０ａ、１０ｂに入射する。光検出器１０ａ、１０ｂからは、反射面８Ｓに対するフォーカスエラー信号と、案内溝や案内ピットに対するトラッキングエラー信号とが生成される。そして、対物レンズ７は、これらの信号に基づいて、反射面８Ｓ上の集光スポットにディフォーカスやオフトラックが発生しないように駆動される。空間変調素子６上の個々のアクチュエータは、制御装置１１の制御信号に基づいて、鏡面（全てのアクチュエータのミラー６ｄ１の変位量がゼロの状態）を形成し、空間変調素子６の反射面６ａを反射することによって光が回折することはない。また、感光層８ｂは記録されており、レーザ光２が感光層８ｂを往復することによって（往路と復路での感光層８ｂの透過によって）対物レンズ７側に向かう回折光（再生回折光）１２が発生する。そして、この回折光１２は、対物レンズ７、空間変調素子６の反射面６ａを経て、ハーフミラー５のミラー面５ａを透過した後、コリメートレンズ１３によって集光されて、信号再生用光検出器１４上の様々な位置に集光する光の集団１５となる。尚、感光層８ｂで回折せずにそのまま透過する成分は、コリメートレンズ１３によって集光されて、信号再生用光検出器１４上の中心近傍に集光する光１６となる。【００４０】
図４は、本実施の形態における情報記録再生装置の信号再生用光検出器の検出面を示す平面図である。【００４１】
図４に示すように、信号再生用光検出器１４の検出面は、碁盤の目状をなす微細な光検出セルに分割され、光の集団１５がそれぞれの光検出セルの中心近傍に集光し、独立して光の光量が検出される。検出光量があるレベルを超えると信号“１”を、検出光量があるレベルを超えない場合には信号“０”を割り当てることにより、感光層８ｂに記録された記録信号をページデータとして再生することができる。尚、信号再生用光検出器１４の中心近傍に集光する光１６は、感光層８ｂで回折しない成分であり、記録信号を含まないので、信号再生用光検出器１４の検出面の中心近傍の領域１４ａを信号再生領域から除外する。そして、中心近傍の領域１４ａを除外した信号再生領域に含まれる光検出セルの数をＮ個とする。【００４２】
制御装置１１の制御信号によって決められる空間変調素子６のアクチュエータの変位情報は、次のようにして決められる。信号再生用光検出器１４において、中心近傍の領域１４ａ以外の信号再生領域を構成する光検出セルのうち、信号“１”が割り当てられたものを選び、選択された光検出セルの中心に一定光量（光量Ｐ）で位相の揃った発光点（波長λ）を配置する。一方、ハーフミラー５のミラー面５ａの反射率をＲ、透過率をＴとして、放射光源１には光量Ｎ×Ｐ×Ｔ／Ｒの発光点（波長λ）を配置する（光量Ｎ×Ｐ×Ｔ／Ｒは目安であり、これの１／３〜３倍の範囲の値であればよい）。図３の光学構成（空間変調素子６の反射面６ａが鏡面状態）において、これらの発光点から光を同時に発光させ、情報記録媒体８の感光層８ｂ内で形成される干渉パターンの光分布を、情報記録媒体８の反射面８Ｓからの反射も含めたモデルで波動方程式に基づいて計算する（波動計算）。波動方程式としては、下記（数１）によって表記されるフレネル−キルヒホッフ（Fresnel-Kirchhoff）の回折公式が用いられる。【００４３】
【数１】
2008029614.tif 000003
上記（数１）中、Ｕ（Ｐ）は点Ｐにおける複素振幅、Ａは定数、λは光の波長、ｋは波数２π／λ、分母にあるｒは発光点と開口面上の点との距離、分母にあるｓは開口面上の点と点Pとの距離、ｃｏｓ（ｎ，ｒ）内のｒは発光点から開口面に向かう光線の方向ベクトル、ｃｏｓ（ｎ，ｓ）内のｓは開口面から点Pに向かう方向ベクトル、ｃｏｓ（ｎ，ｒ）、ｃｏｓ（ｎ，ｓ）内のｎは開口面の法線ベクトルを意味し、ｃｏｓ（ｎ，ｒ）、ｃｏｓ（ｎ，ｓ）は括弧内の２つのベクトルのなす方向余弦である。【００４４】
上記計算によって得られた干渉パターンを強度分布で表し、集光点Ｐ0 に向かう光束と感光層８ｂとの重なりによって形成される円錐台の内部を同じ寸法の直方体で分割し、直方体内の光量を計算して大きい順にｎ個の直方体を抽出し、それぞれの直方体の中心の３次元位置を計算する。但し、直方体は、対物レンズ７によって無収差で集光する光スポットの３次元的強度分布である楕円体にほぼ外接する形状に相似する。ｎ個の直方体の中心に同位相の発光点（波長λ）を配置し、発光点の光量を、対応する直方体内に含まれる光量に揃える（すなわち、発光点の光強度＝直方体内に含まれる光量÷直方体の体積）。放射光源１には光量Ｎ×Ｐ×Ｔ／Ｒの発光点（波長λ）を配置し（光量Ｎ×Ｐ×Ｔ／Ｒは目安であり、これの１／３〜３倍の範囲の値であればよい）、これらの発光点から光を同時に発光させ、空間変調素子６の反射面６ａ上で形成される干渉パターンの光分布を、上記波動方程式に基づいて計算する（波動計算）。そして、この干渉パターンから位相分布を計算する。この位相分布が空間変調素子６のアクチュエータの変位情報となる。例えば、アクチュエータの位置での位相をφ（radian）とすると、反射面６ａの法線が入射光の光軸となす角をθとして、アクチュエータのミラー６ｄ１の変位量δはφλｃｏｓθ／４πであればよく、空間変調素子６にはこの条件が満たされるように制御信号が送られる。【００４５】
光検出セルの“０”、“１”の信号割当ての組合わせは、最大で２N だけ存在する。これらの全ての組合わせについて、予め感光層８ｂで形成される干渉パターンを、上記のようにして波動計算し、さらにはこの干渉パターンを再現するための空間変調素子６のアクチュエータの変位情報を、上記のようにして波動計算しておく。そして、このアクチュエータの変位情報を、記録信号に対応させてテーブルとしてメモリに格納しておき、信号記録時にはメモリからアクチュエータの変位情報を読み取りながら記録信号を感光層８ｂに書き込んでいく。波動計算には２階積分の演算のために多大な時間を要するが、予め計算して結果をメモリに格納しておけば、信号記録時には読み出し速度に応じた速さでの記録が可能となる。メモリの読み出し速度、すなわち、パ−ソナルコンピュ−タとメモリとの間の接続の転送レートは既に数Ｇｂｐｓに達しており、感光層８ｂの感光速度が十分であることを前提として、仮に転送レートを５Ｇｂｐｓとすると、本実施の形態の情報記録再生装置においてはＤＶＤ記録再生装置の１０００倍の速さが得られる。尚、半導体プロセスによって形成されるアクチュエータの応答性は数ｋＨｚであり、仮に応答性を５ｋＨｚとすると、５Ｇｂｐｓの転送レートを得るためには、記録信号をＮ＝１０００×１０００のページデータとする必要がある。【００４６】
感光層８ｂへの記録は、信号再生時における反射面８Ｓからの反射の影響等の全ての外乱の影響を含め、信号再生時に光検出セル上に理想的な光スポット（再生光）が投射されるようになされているので、記録信号の読み誤りは殆ど発生しない。また、情報記録媒体の構造（各層の厚さや屈折率、反射面の溝仕様、感光層の記録前後の屈折率等）が変わっても、新しい情報記録媒体の構造に対してアクチュエータの変位情報を再計算し、テーブルとしてメモリに格納するだけで、この情報記録媒体に最適化された記録再生が可能となる。【００４７】
尚、本実施の形態においては、光源から出射された光を多数の回折光に分離する回折手段として、反射面６ａが半導体プロセスによって形成される微細なアクチュエータの集合によって構成された空間変調素子６を例に挙げて説明しているが、光の位相分布を変えることができれば、他の構成の回折手段を用いてもよい。【００４８】
また、本実施の形態においては、反射によって光の位相分布を変えているが、透過によって光の位相分布を変える構成であってもよい。例えば、互いに対向する２枚の基板間に液晶層を挟み、基板表面の電極による電界の印加によって液晶分子の方位を変化させることにより、液晶層の屈折率を制御して、透過光の位相分布を変える方法などがある。【００４９】
また、本実施の形態においては、空間変調素子６のアクチュエータの変位情報を決める際に、選択された光検出セルの中心に同光量で位相の揃った発光点を配置したが、他の位相条件であってもよい。例えば、碁盤の目状をなす光検出セルを、仮に市松模様をなす白と黒の２つの領域に分け、白領域の光検出セルに配置される発光点と黒領域の光検出セルに配置される発光点とでπだけ位相差を持たせるような位相条件であってもよい。この条件では隣り合う発光点の位相が必ずπずれるので、信号再生時に光検出セル上に投射される２つの近接光スポットを考える場合、両者の位相もπずれる。従って、その中間点は強度がゼロになり、２つの光スポットがはっきりと分離し、再生光のコントラストが高くなる。【００５０】
また、本実施の形態においては、感光層８ｂ内のｎ個の直方体の中心に同位相の発光点を配置したが、必ずしも同位相である必要はなく、ｎ個の発光点から発生する光分布が感光層８ｂで形成される干渉パターンの光分布と近似するならば、他の位相条件であってもよい。【００５１】
また、信号再生用光検出器１４の信号再生領域を構成する光検出セルの形状は方形である必要はなく、例えば、六角形などの多角形であってもよい。【００５２】
また、集光点Ｐ0 に向かう光束と感光層８ｂとの重なりによって形成される円錐台の内部を分割する直方体も、直方体以外の形状であってもよく、例えば、六角柱などの多角柱であってもよい。【００５３】
また、本実施の形態においては、感光層８ｂ内での光強度分布や空間変調素子６のアクチュエータの変位情報が波動計算によって求められているが、本発明は信号検出面上での再生像が最適となるように感光層内での光強度分布の制御を行うものであり、この特徴さえ満足すれば、上記以外の方法によってこれらの情報（感光層８ｂ内での光強度分布、空間変調素子６のアクチュエータの変位情報）を求めてもよい。【００５４】
さらに、本実施の形態においては、対物レンズ７から情報記録媒体８までの光束がほぼ回転対称な関係にあるが、情報記録媒体８の反射面８Sに斜入射させるなど、回転非対称な構成であってもよく、反射面８Sで反射せずに透過する構成であってもよい。これらの場合、往路と復路で光路が違ってくるので、対物レンズ等の光学部品を別々に設けなければならない。
【産業上の利用可能性】
【００５５】
本発明は、情報記録媒体に記録信号を記録するための情報記録装置、及び情報記録媒体に記録された記録信号を再生するための情報再生装置に適用することができる。
【図１】
2008029614.tif 000004
【図２】
2008029614.tif 000005
【図３】
2008029614.tif 000006
【図４】
2008029614.tif 000007
【図５】
2008029614.tif 000008
【図６】
2008029614.tif 000009
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
光源と、前記光源から出射された光を多数の回折光に分離する回折手段と、前記多数の回折光をそれぞれ異なった点に集光する集光手段とを備え、
前記光源から出射された光が、前記回折手段によって多数の回折光に分離され、前記多数の回折光が、前記集光手段によって情報記録媒体の感光層内のそれぞれ異なった点に集光され、これら集光点の集合によって前記情報記録媒体の前記感光層に情報が記録されることを特徴とする情報記録装置。
【請求項２】
光源と、前記光源から出射された光を集光する集光手段と、微細な光検出セルの集合によって構成された信号検出器とを備え、
前記光源から出射された光が、前記集光手段によって情報記録媒体の感光層を透過して前記情報記録媒体の反射面上に集光されると共に、前記反射面で反射して前記感光層を再度透過し、
往路と復路での前記感光層の透過によって前記集光手段に向かう再生回折光が発生し、
前記再生回折光が前記集光手段を経て前記信号検出器に入射し、前記光検出セルによって前記感光層の情報が再生されることを特徴とする情報再生装置。
【請求項３】
前記回折手段の表面は微細領域の集合によって構成され、前記微細領域は、前記回折手段に入力される電気信号によって個別に上下して凹凸の表面を形成し、前記凹凸の表面で反射する光の位相を空間的に変調して、多数の回折光を発生させる請求項１に記載の情報記録装置。
【請求項４】
前記回折手段は微細領域の集合によって構成され、前記微細領域は、前記回折手段に入力される電気信号によって内部の屈折率が個別に変化し、前記微細領域を透過する光の位相を空間的に変調して、多数の回折光を発生させる請求項１に記載の情報記録装置。
【請求項５】
微細な光検出セルの集合によって構成された信号検出器をさらに備え、
前記回折手段で反射する光が回折しない条件で、一部の前記光検出セルの各中心を発光する等強度の光と、前記光源から出射され前記集光手段によって情報記録媒体の反射面上に集光される光と、前記反射面で反射する光とを前記感光層内で干渉させて得られる第１の干渉パターンの第１の光分布を計算し、
前記干渉パターンの領域を同じ寸法の微小体で分割し、前記微小体内に含まれる光量を計算して大きい順にｎ個の微小体を抽出し、前記微小体内に含まれる光量を前記微小体の体積で割った値の光強度で前記微小体の中心から発光するｎ個の光と、前記光源から出射される光とを前記回折手段の表面上で干渉させて得られる第２の干渉パターンの光分布を計算し、前記第２の干渉パターンの光分布によって前記回折手段の表面の凹凸分布を割り出す請求項３に記載の情報記録装置。
【請求項６】
微細な光検出セルの集合によって構成された信号検出器をさらに備え、
前記回折手段を透過する光が回折しない条件で、一部の前記光検出セルの各中心を発光する等強度の光と、前記光源から出射され前記集光手段によって前記情報記録媒体の反射面上に集光される光と、前記反射面で反射する光とを前記感光層内で干渉させて得られる第１の干渉パターンの第１の光分布を計算し、
前記干渉パターンの領域を同じ寸法の微小体で分割し、前記微小体内に含まれる光量を計算して大きい順にｎ個の微小体を抽出し、前記微小体内に含まれる光量を前記微小体の体積で割った値の光強度で前記微小体の中心から発光するｎ個の光と、前記光源から出射される光とを前記回折手段の表面上で干渉させて得られる第２の干渉パターンの光分布を計算し、前記第２の干渉パターンの光分布によって前記回折手段の屈折率分布を割り出す請求項４に記載の情報記録装置。
【請求項７】
前記光検出セルが、当該光検出セルに配置される発光点の位相が０又はπの２種類の領域に分けられ、これら２種類の領域が交互に並んでいる請求項５又は６に記載の情報記録装置。
【請求項８】
前記微小体の中心から発光する光の位相が揃っている請求項５又は６に記載の情報記録装置。
【請求項９】
発光する光の基点となる前記光検出セルの組合わせを変えながら前記第１及び第２の干渉パターンの光分布を順次計算して前記回折手段の表面の凹凸分布を割り出し、前記凹凸分布をメモリに格納し、信号記録時に、前記メモリから前記凹凸分布を読み込んで、前記凹凸の表面で反射する光の位相を空間的に変調する請求項５に記載の情報記録装置。
【請求項１０】
発光する光の基点となる前記光検出セルの組合わせを変えながら前記第１及び第２の干渉パターンの光分布を順次計算して前記回折手段の屈折率分布を割り出し、前記屈折率分布をメモリに格納し、信号記録時に、前記メモリから前記屈折率分布を読み込んで、前記微細領域を透過する光の位相を空間的に変調する請求項６に記載の情報記録装置。
【手続補正２】
【補正対象書類名】明細書
【補正対象項目名】全文
【補正方法】変更
【補正の内容】
【発明の詳細な説明】
【技術分野】
【０００１】
本発明は、情報記録媒体に記録信号を記録するための情報記録装置、及び情報記録媒体に記録された記録信号を再生するための情報再生装置に関する。
【背景技術】
【０００２】
従来、この種の情報記録再生装置としては、例えば、特許文献１に開示されたものが知られている。ここでは、この先行例を原型とし、若干の修正を加えた形で、図５、図６を参照しながら説明する。
【０００３】
図５は、従来技術における、信号記録時の、情報記録再生装置の断面構成の一部と情報記録媒体の内部での光束の様子とを示す図である。
【０００４】
図５に示すように、半導体レーザ等の放射光源から出射されたＰ偏光のレーザ光は、コリメートレンズによって集光されて平行光となった後、ハーフミラーによって２分配される。ハーフミラーによって２分配された一方の光は、１／２波長板を透過してＳ偏光の光２ａとなり（ここまでは図５には示されていないが、以後は破線で表示）、空間変調素子１７と凸レンズ４’を順次透過して弱い集光性の光となった後、偏光ビームスプリッタ５’に入射する。偏光ビームスプリッタ５’に入射した光２ａは、その偏光面５ａ’で反射して接合ジャイレータ１８を透過した後、対物レンズ７によって集光されて、情報記録媒体８の反射面８Ｓの手前の点Ｐb に収束する光束２０ａとなる。そして、光束２０ａは、点Ｐb を境に光軸Ｌの反対側に移る。
【０００５】
接合ジャイレータ１８は、光軸Ｌを通り紙面に垂直な平面で２つに分けられ、上半分の領域１８ａでは透過光の偏光方向を時計回りに４５度回転させ、下半分の領域１８ｂでは透過光の偏光方向を反時計回りに４５度回転させる旋光子を接合したものである。
【０００６】
放射光源から出射されたＰ偏光のレーザ光のうち、コリメートレンズによって集光されて平行光となった後、ハーフミラーによって２分配されたもう一方の光２ｂ（ここまでは図５には示されていないが、以後は実線で表示）は、光軸Ｌに沿って偏光ビームスプリッタ５’の偏光面５ａ’、接合ジャイレータ１８を順次透過した後、対物レンズ７によって集光されて、情報記録媒体８の反射面８Ｓ上の点Ｐ0 に収束する光束２０ｂとなる。
【０００７】
情報記録媒体８は、透明層８ａと、透明基板８ｃと、これらに挟まれたフォトポリマー等の感光層８ｂとにより構成されている。収束点Ｐ0 と収束点Ｐb は、感光層８ｂに対してほぼ対称に形成される。
【０００８】
空間変調素子１７は、例えば、強誘電性液晶パネルによって構成され、光２ａが透過する領域内で碁盤の目状に分割されている。そして、それぞれの領域で独立して位相がπずれたり（位相変調）、又は透過率がゼロになったりしており（振幅変調）、この変調パターンは外部の信号に基づいて更新される。
【０００９】
図５から明らかなように、光束２０ａと光束２０ｂは、情報記録媒体８の感光層８ｂの領域で交差する。光束２０ｂのうちで円１９内を通る光線２Ｂは、Ｐ偏光が接合ジャイレータ１８の領域１８ｂによって反時計回りに４５度回転したものとなっており、光束２０ａのうちで円１９内を通る光線２Ａは、Ｓ偏光が接合ジャイレータ１８の領域１８ａによって時計回りに４５度回転したものとなっている。結局、円１９内では光線２Ａ、２Ｂの偏光方向が揃うことになる。この関係は、光軸Ｌを挟んで円１９の反対側に位置する円内を通る光線についても同じである。このように、感光層８ｂの領域では光束２０ａ、２０ｂの偏光方向が揃うので、光束２０ａ、２０ｂは、互いに干渉して干渉縞を形成する。そして、半導体レーザ等の放射光源の出力が大きい場合には、光束２０ａ、２０ｂが感光層８ｂを感光させて、感光パターン２１（干渉縞の光強度分布に対応して屈折率が変化したパターン）を形成する。この感光パターン２１は、空間変調素子１７の変調パターンに対応したパターンとなる（すなわち、感光パターン２１は、空間変調素子１７の変調パターンごとに異なるパターンとして記録される）。
【００１０】
情報記録媒体８は、モータに取り付けられ、当該モータの回転と共に回転する。反射面８Ｓの表面には、回転方向に沿って径方向に周期的な案内溝（グレーティング）が等ピッチで形成されている。
【００１１】
光束２０ｂの収束点Ｐ0 は、案内溝上に位置し、情報記録媒体８の回転に伴って案内溝に沿って移動する。光束２０ｂは、反射面８Ｓで反射した後、情報記録媒体８を透過し、対物レンズ７によって平行光に変換される。そして、往路において接合ジャイレータ１８の領域１８ａを透過して偏光方向が時計回りに４５度回転していた光は、復路においては接合ジャイレータ１８の領域１８ｂを透過して元の偏光方向に戻される。また、往路において接合ジャイレータ１８の領域１８ｂを透過して偏光方向が反時計回りに４５度回転していた光も、復路においては接合ジャイレータ１８の領域１８ａを透過して元の偏光方向に戻される。結局、光束２０ｂの戻り光は、接合ジャイレータ１８を透過することによってＰ偏光の光に戻り、偏光ビームスプリッタ５’の偏光面５ａ’を透過した後、ホログラム等の分岐手段によって光検出器側に導かれる（この部分は図５には示されていない）。そして、光検出器からの検出信号により、反射面８Ｓに対するフォーカスエラー信号と案内溝に対するトラッキングエラー信号とが生成され、これらの信号に基づいて、光束２０ｂの収束点が反射面８Ｓ上の案内溝上に制御されるように、対物レンズ７が駆動される。
【００１２】
図６は、従来技術における、信号再生時の、情報記録再生装置の断面構成の一部と情報記録媒体の内部での光束の様子とを示す図である。図６においては、図５に比べて、空間変調素子１７の変調パターンが異なっている。
【００１３】
図６に示すように、放射光源から出射されたＰ偏光のレーザ光は、コリメートレンズによって集光されて平行光となった後、ハーフミラーによって２分配される。ハーフミラーによって２分配された一方の光２ｂ’（ここまでは図６には示されていないが、以後は実線で表示）は、光軸Ｌに沿って偏光ビームスプリッタ５’の偏光面５ａ’、接合ジャイレータ１８を順次透過し、接合ジャイレータ１８のそれぞれの領域１８ａ、１８ｂで偏光方向が時計回り、反時計回りに４５度回転した後、対物レンズ７によって集光されて、情報記録媒体８の反射面８Ｓ上の点Ｐ0 に収束する。反射面８Ｓで反射した光線（反射光）２Ｂ’は、感光パターン２１内の円１９内を伝搬することによって回折光２Ａ’を派生して、光束２０ａ’となる。回折光２Ａ’は、点Ｐb に集光した後、光軸Ｌの反対側に移る。そして、当該回折光２Ａ’は、対物レンズ７によって弱い発散性の光となった後、接合ジャイレータ１８によって偏光状態が変えられる。回折光２Ａ’の偏光状態が反射光２Ｂ’のそれと一致しており、往路においてＰ偏光が接合ジャイレータ１８の領域１８ａを透過するので、回折光２Ａ’は、Ｐ偏光が時計回りに４５度回転したものとなっている。これに対し、光軸Ｌを挟んで円１９の反対側に位置する円内を伝搬することによって派生した回折光は、Ｐ偏光が反時計回りに４５度回転したものとなっている。これらの回折光が接合ジャイレータ１８を透過すると、接合ジャイレータ１８のそれぞれの領域１８ａ、１８ｂで偏光方向が時計回り、反時計回りに４５度回転するので、結局、光束２０ａ’は、Ｓ偏光の光束に変換される。従って、光束２０ａ’は、偏光ビームスプリッタ５’の偏光面５ａ’で反射し、凸レンズ４’によって平行光に変換された後、空間変調素子１７を透過する。空間変調素子１７は、上記のように、強誘電性液晶パネル等によって構成されており、この信号再生時においては、外部の信号に基づき、透過光を変調しないでそのまま通している。空間変調素子１７を透過する光２ａ’は、感光パターン２１の記録信号が反映され、信号記録時の空間変調素子１７の変調パターンが光２ａ’の光強度分布パターンとなって再現される。この透過光２ａ’は、ホログラムやハーフミラー等によって往路の光路と分岐され、コリメ−トレンズによって集光されて光検出器に導かれる。そして、空間変調素子１７の分割パターンに対応した碁盤の目状の光検出セルによって信号光が検出されて、記録信号が再生される。
【００１４】
一方、感光パターン２１の領域内での伝搬によって回折しなかった成分２０ｂ’は、情報記録媒体８を透過した後、対物レンズ７によって平行光に変換される。そして、往路において接合ジャイレータ１８の領域１８ａを透過して偏光方向が時計回りに４５度回転していた光は、復路においては接合ジャイレータ１８の領域１８ｂを透過して元の偏光方向に戻される。また、往路において接合ジャイレータ１８の領域１８ｂを透過して偏光方向が反時計回りに４５度回転していた光も、復路においては接合ジャイレータ１８の領域１８ａを透過して元の偏光方向に戻される。結局、反射光束２０ｂ’は、接合ジャイレータ１８を透過することによってＰ偏光の光に戻り、偏光ビームスプリッタ５’の偏光面５ａ’を透過した後、ホログラム等の分岐手段によって光検出器側に導かれる。そして、光検出器からの検出信号により、反射面８Ｓに対するフォーカスエラー信号と案内溝に対するトラッキングエラー信号とが生成され、これらの信号に基づいて、収束光の収束点Ｐ0 が反射面８Ｓ上の案内溝上に制御されるように、対物レンズ７が駆動される。
【特許文献１】特開平１１−３１１９３８号公報
【発明の開示】
【発明が解決しようとする課題】
【００１５】
しかし、上記従来の情報記録再生装置には、以下のような問題がある。
【００１６】
まず、信号記録時には次のような問題がある。すなわち、図５において、光束２０ａと光束２０ｂに対する情報記録媒体８の反射面８Ｓからの反射光束は、いずれもその一部が感光パターン２１の領域上を透過する。これらの反射光束は、感光パターン２１の形成においては迷光であり、大きなノイズを含んだ記録状態となる。また、空間変調素子１７を透過した光２ａは、周期的に位相や振幅が変化しているために回折し易く、発生した回折光は、空間変調素子１７と感光パターン２１との距離に比例して透過光（０次回折光）から分離する。そして、この分離が大きすぎると、感光パターン２１の領域を外れてしまう。０次回折光には空間変調素子１７による信号情報が含まれていないので、回折光成分の少ない感光パターン２１は、信号情報が少なく、再生時にコントラストの悪い信号となってしまう。
【００１７】
また、信号再生時には次のような問題がある。すなわち、図６において、記録信号の再生像は空間変調素子１７の上に反映される。再生信号の光検出器は、空間変調素子１７から離れた位置に配置されるため、光が空間変調素子１７から光検出器まで伝搬する間に回折が発生して互いにオーバーラップするので、再生像の品質が著しく劣化してしまう。
【００１８】
本発明は、従来技術における前記課題を解決するためになされたものであり、信号記録時に迷光や回折の影響がない高コントラストの記録を実現することのできる情報記録装置、及び信号再生時に光検出面上での信号品質を大幅に改善することのできる情報再生装置を提供することを目的とする。
【課題を解決するための手段】
【００１９】
前記目的を達成するため、本発明に係る情報記録装置の構成は、光源と、前記光源から出射された光を多数の回折光に分離する回折手段と、前記多数の回折光をそれぞれ異なった点に集光する集光手段とを備え、前記光源から出射された光が、前記回折手段によって多数の回折光に分離され、前記多数の回折光が、前記集光手段によって情報記録媒体の感光層内のそれぞれ異なった点に集光され、これら集光点の集合によって前記情報記録媒体の前記感光層に情報が記録されることを特徴とする。
【００２０】
また、本発明に係る情報再生装置の構成は、光源と、前記光源から出射された光を集光する集光手段と、微細な光検出セルの集合によって構成された信号検出器とを備え、前記光源から出射された光が、前記集光手段によって情報記録媒体の感光層を透過して前記情報記録媒体の反射面上に集光されると共に、前記反射面で反射して前記感光層を再度透過し、往路と復路での前記感光層の透過によって前記集光手段に向かう再生回折光が発生し、前記再生回折光が前記集光手段を経て前記信号検出器に入射し、前記光検出セルによって前記感光層の情報が再生されることを特徴とする。
【００２１】
前記本発明の情報記録装置の構成においては、前記回折手段の表面は微細領域の集合によって構成され、前記微細領域は、前記回折手段に入力される電気信号によって個別に上下して凹凸の表面を形成し、前記凹凸の表面で反射する光の位相を空間的に変調して、多数の回折光を発生させるのが好ましい。また、この場合には、微細な光検出セルの集合によって構成された信号検出器をさらに備え、前記回折手段で反射する光が回折しない条件で、一部の前記光検出セルの各中心を発光する等強度の光と、前記光源から出射され前記集光手段によって情報記録媒体の反射面上に集光される光と、前記反射面で反射する光とを前記感光層内で干渉させて得られる第１の干渉パターンの第１の光分布を計算し、前記干渉パターンの領域を同じ寸法の微小体で分割し、前記微小体内に含まれる光量を計算して大きい順にｎ個の微小体を抽出し、前記微小体内に含まれる光量を前記微小体の体積で割った値の光強度で前記微小体の中心から発光するｎ個の光と、前記光源から出射される光とを前記回折手段の表面上で干渉させて得られる第２の干渉パターンの光分布を計算し、前記第２の干渉パターンの光分布によって前記回折手段の表面の凹凸分布を割り出すのが好ましい。この場合にはさらに、前記光検出セルが、当該光検出セルに配置される発光点の位相が０又はπの２種類の領域に分けられ、これら２種類の領域が交互に並んでいるのが好ましく、前記微小体の中心から発光する光の位相が揃っているのが好ましい。この場合にはさらに、発光する光の基点となる前記光検出セルの組合わせを変えながら前記第１及び第２の干渉パターンの光分布を順次計算して前記回折手段の表面の凹凸分布を割り出し、前記凹凸分布をメモリに格納し、信号記録時に、前記メモリから前記凹凸分布を読み込んで、前記凹凸の表面で反射する光の位相を空間的に変調するのが好ましい。
【００２２】
また、前記本発明の情報記録装置の構成においては、前記回折手段は微細領域の集合によって構成され、前記微細領域は、前記回折手段に入力される電気信号によって内部の屈折率が個別に変化し、前記微細領域を透過する光の位相を空間的に変調して、多数の回折光を発生させるのが好ましい。また、この場合には、微細な光検出セルの集合によって構成された信号検出器をさらに備え、前記回折手段を透過する光が回折しない条件で、一部の前記光検出セルの各中心を発光する等強度の光と、前記光源から出射され前記集光手段によって前記情報記録媒体の反射面上に集光される光と、前記反射面で反射する光とを前記感光層内で干渉させて得られる第１の干渉パターンの第１の光分布を計算し、前記干渉パターンの領域を同じ寸法の微小体で分割し、前記微小体内に含まれる光量を計算して大きい順にｎ個の微小体を抽出し、前記微小体内に含まれる光量を前記微小体の体積で割った値の光強度で前記微小体の中心から発光するｎ個の光と、前記光源から出射される光とを前記回折手段の表面上で干渉させて得られる第２の干渉パターンの光分布を計算し、前記第２の干渉パターンの光分布によって前記回折手段の屈折率分布を割り出すのが好ましい。この場合にはさらに、前記光検出セルが、当該光検出セルに配置される発光点の位相が０又はπの２種類の領域に分けられ、これら２種類の領域が交互に並んでいるのが好ましく、前記微小体の中心から発光する光の位相が揃っているのが好ましい。この場合にはさらに、発光する光の基点となる前記光検出セルの組合わせを変えながら前記第１及び第２の干渉パターンの光分布を順次計算して前記回折手段の屈折率分布を割り出し、前記屈折率分布をメモリに格納し、信号記録時に、前記メモリから前記屈折率分布を読み込んで、前記微細領域を透過する光の位相を空間的に変調するのが好ましい。
【発明の効果】
【００２３】
本発明によれば、記録信号の再生像が最適となるように感光層の記録を行うことができるので、記録信号の読み誤りをなくすことが可能となる。さらには、記録信号の読み誤りが少ない分、信号の密度を高くすることができるので、大容量のメモリを実現することができる。
【発明を実施するための最良の形態】
【００２４】
以下、本発明の実施の形態について、図１〜図４を参照しながら説明する。尚、従来技術における情報記録再生装置と共通の構成部材については、同一の参照符号を付して説明する。
【００２５】
図１は、本発明の一実施の形態における、信号記録時の、情報記録再生装置の断面構成と情報記録媒体の内部での光束の様子とを示す図である。
【００２６】
図１に示すように、本実施の形態の情報記録再生装置は、半導体レーザ等の放射光源１と、放射光源１から出射された波長λのレーザ光２を多数の回折光に分離する回折手段としての空間変調素子６と、前記多数の回折光をそれぞれ異なった点に集光する集光手段としての対物レンズ７とを備えている。
【００２７】
また、本実施の形態の情報記録再生装置は、放射光源１から出射されたレーザ光２を平行光に変換するコリメートレンズ４と、前記平行光を空間変調素子６に向けて反射するハーフミラー５と、光検出器１０ａ、１０ｂと、戻り光を＋１次回折光９ａと−１次回折光９ｂとに分離して、それぞれ光検出器１０ａ、１０ｂに入射させるホログラム３とを備えている。
【００２８】
空間変調素子６の反射面６ａは、半導体プロセスによって形成される微細なアクチュエータの集合によって構成され、個々のアクチュエータは、制御装置１１の制御信号（電気信号）に基づいて、上下方向（反射面６ａの法線方向）に変位する。
【００２９】
情報記録媒体８は、透明層８ａと、透明基板８ｃと、これらに挟まれたフォトポリマー等の感光層８ｂとにより構成されている。透明層８ａの表面は、反射膜が形成されて、反射面８Ｓとなっている。ここで、情報記録媒体８の反射面８Ｓには、案内溝や案内ピットが形成されている。
【００３０】
放射光源１から出射されたレーザ光２は、ホログラム３を透過し、コリメートレンズ４によって集光されて平行光となった後、ハーフミラー５のミラー面５ａで反射する。ハーフミラー５のミラー面５ａで反射した光は、空間変調素子６の反射面６ａで反射して光２ｃとなり、対物レンズ７によって集光されて、情報記録媒体８の反射面８Ｓ上の点Ｐ0 に収束する。反射面８Ｓで反射した光は、対物レンズ７、空間変調素子６の反射面６ａ、ハーフミラー５のミラー面５ａを経て、コリメートレンズ４によって集光される。コリメートレンズ４によって集光された光は、ホログラム３によって＋１次回折光９ａと−１次回折光９ｂとに分離され、それぞれ光検出器１０ａ、１０ｂに入射する。光検出器１０ａ、１０ｂからは、反射面８Ｓに対するフォーカスエラー信号と、案内溝や案内ピットに対するトラッキングエラー信号とが生成される。そして、対物レンズ７は、これらの信号に基づいて、反射面８Ｓ上の集光スポットにディフォーカスやオフトラックが発生しないように駆動される。
【００３１】
空間変調素子６の個々のアクチュエータの変位により、空間変調素子６の反射面６ａで反射する光は多数の回折光に分離され、これら多数の回折光は、対物レンズ７によって、反射面８Ｓの手前にある感光層８ｂ内の点Ｐ1 、Ｐ2 、・・・、Ｐn のｎ個の点に集光する。これにより、感光層８ｂ内で特定の干渉パターンが形成される。ｎは例えば１０万〜１００万程度の数である。この干渉パターンの強度分布に沿って感光層８ｂが感光し、光強度に応じて屈折率が変化する。すなわち、集光点Ｐ1 、Ｐ2 、・・・、Ｐn の集合によって情報記録媒体８の感光層８ｂに記録信号（情報）が記録される。
【００３２】
尚、集光点Ｐ1 、Ｐ2 、・・・、Ｐn は、いずれも０次回折光（集光点Ｐ0 に向かう光）が形成する円錐体（対物レンズ７の開口が方形であれば、四角錐体の内部に存在する点である。
【００３３】
図２は、本実施の形態における、信号記録時の、情報記録再生装置の空間変調素子の構成を示しており、（ａ）は当該空間変調素子の反射面を示す平面図、（ｂ）は当該空間変調素子の断面図、（ｃ）は当該空間変調素子を構成するアクチュエータの動作状態を示す模式図である。
【００３４】
図２（ａ）、（ｂ）に示すように、空間変調素子６の反射面６ａは、碁盤の目状（六角形などの多角形であってもよい）の微細領域（図２（ｂ）、（ｃ）に示すアクチュエータ６ａ１のミラー６ｄ１）に分割され、碁盤の目の一つ一つの微細領域が紙面に平行な反射面をなしている。ここで、空間変調素子６の反射面６ａは、多数のアクチュエータ６ａ１によって隙間がないように埋められている。そして、碁盤の目の一つ一つの微細領域は、制御装置１１（図１参照）からの制御信号によって図２（ａ）の紙面法線方向に個別に上下して、凹凸の表面を形成する（図２（ｂ））。これにより、反射面６ａで反射する光２ｃの位相が空間的に変調されて、多数の回折光に分離される。
【００３５】
図２（ｃ）に示すように、アクチュエータ６ａ１は、ミラー６ｄ１と、電極板６ｂ１、６ｃ１とにより構成され、ミラー６ｄ１は電極板６ｃ１に接続されている。そして、電極板６ｂ１、６ｃ１に与えられる電荷量に伴うクーロン力により、電極板６ｃ１が撓み、ミラー６ｄ１が最大で変位量δだけ降下する（図２（ｃ）の右図）。図２（ｃ）の右図は、電極板６ｂ１、６ｃ１に逆極性の電荷を与えて、電極板６ｂ１、６ｃ１が引き合うようにした場合を示しているが、電極板６ｂ１、６ｃ１に同極性の電荷を与えると、ミラー６ｄ１が変位量δだけ上昇する。空間変調素子６の反射面６ａの法線が入射光の光軸となす角をθ、レーザ光２の波長をλとすると、ミラー６ｄ１の変位量δはλｃｏｓθ以上であれば十分であり、±δの降下上昇によって反射光の位相の全て（−π〜π）を表現することができる。
【００３６】
図３は、本実施の形態における、信号再生時の、情報記録再生装置の断面構成と情報記録媒体の内部での光束の様子とを示す図である。
【００３７】
図３に示すように、本実施の形態の情報記録再生装置は、信号検出器としての信号再生用光検出器１４と、ハーフミラー５のミラー面５ａを透過した戻り光を信号再生用光検出器１４上に集光するコリメートレンズ１３とをさらに備えている。その他の構成は、図１に示す情報記録再生装置と同様であるため、図１に示す部材と同一の部材には同一の参照符号を付し、それらの説明は省略する。
【００３８】
放射光源１から出射されたレーザ光２は、ホログラム３を透過し、コリメートレンズ４によって集光されて平行光となった後、ハーフミラー５のミラー面５ａで反射する。ハーフミラー５のミラー面５ａで反射した光は、空間変調素子６の反射面６ａで反射し、対物レンズ７によって集光されて、情報記録媒体８の感光層８ｂを透過して（往路での透過）情報記録媒体８の反射面８Ｓ上の点Ｐ0 に収束する。反射面８Ｓで反射した光は、感光層８ｂを再度透過し（復路での透過）、対物レンズ７、空間変調素子６の反射面６ａ、ハーフミラー５のミラー面５ａを経て、コリメートレンズ４によって集光される。コリメートレンズ４によって集光された光は、ホログラム３によって＋１次回折光９ａと−１次回折光９ｂとに分離され、それぞれ光検出器１０ａ、１０ｂに入射する。光検出器１０ａ、１０ｂからは、反射面８Ｓに対するフォーカスエラー信号と、案内溝や案内ピットに対するトラッキングエラー信号とが生成される。そして、対物レンズ７は、これらの信号に基づいて、反射面８Ｓ上の集光スポットにディフォーカスやオフトラックが発生しないように駆動される。空間変調素子６上の個々のアクチュエータは、制御装置１１の制御信号に基づいて、鏡面（全てのアクチュエータのミラー６ｄ１の変位量がゼロの状態）を形成し、空間変調素子６の反射面６ａを反射することによって光が回折することはない。また、感光層８ｂは記録されており、レーザ光２が感光層８ｂを往復することによって（往路と復路での感光層８ｂの透過によって）対物レンズ７側に向かう回折光（再生回折光）１２が発生する。そして、この回折光１２は、対物レンズ７、空間変調素子６の反射面６ａを経て、ハーフミラー５のミラー面５ａを透過した後、コリメートレンズ１３によって集光されて、信号再生用光検出器１４上の様々な位置に集光する光の集団１５となる。尚、感光層８ｂで回折せずにそのまま透過する成分は、コリメートレンズ１３によって集光されて、信号再生用光検出器１４上の中心近傍に集光する光１６となる。
【００３９】
図４は、本実施の形態における情報記録再生装置の信号再生用光検出器の検出面を示す平面図である。
【００４０】
図４に示すように、信号再生用光検出器１４の検出面は、碁盤の目状をなす微細な光検出セルに分割され、光の集団１５がそれぞれの光検出セルの中心近傍に集光し、独立して光の光量が検出される。検出光量があるレベルを超えると信号“１”を、検出光量があるレベルを超えない場合には信号“０”を割り当てることにより、感光層８ｂに記録された記録信号をページデータとして再生することができる。尚、信号再生用光検出器１４の中心近傍に集光する光１６は、感光層８ｂで回折しない成分であり、記録信号を含まないので、信号再生用光検出器１４の検出面の中心近傍の領域１４ａを信号再生領域から除外する。そして、中心近傍の領域１４ａを除外した信号再生領域に含まれる光検出セルの数をＮ個とする。
【００４１】
制御装置１１の制御信号によって決められる空間変調素子６のアクチュエータの変位情報は、次のようにして決められる。信号再生用光検出器１４において、中心近傍の領域１４ａ以外の信号再生領域を構成する光検出セルのうち、信号“１”が割り当てられたものを選び、選択された光検出セルの中心に一定光量（光量Ｐ）で位相の揃った発光点（波長λ）を配置する。一方、ハーフミラー５のミラー面５ａの反射率をＲ、透過率をＴとして、放射光源１には光量Ｎ×Ｐ×Ｔ／Ｒの発光点（波長λ）を配置する（光量Ｎ×Ｐ×Ｔ／Ｒは目安であり、これの１／３〜３倍の範囲の値であればよい）。図３の光学構成（空間変調素子６の反射面６ａが鏡面状態）において、これらの発光点から光を同時に発光させ、情報記録媒体８の感光層８ｂ内で形成される干渉パターンの光分布を、情報記録媒体８の反射面８Ｓからの反射も含めたモデルで波動方程式に基づいて計算する（波動計算）。波動方程式としては、下記（数１）によって表記されるフレネル−キルヒホッフ（Fresnel-Kirchhoff）の回折公式が用いられる。
【００４２】
【数１】
2008029614.tif 000010
【００４３】
上記（数１）中、Ｕ（Ｐ）は点Ｐにおける複素振幅、Ａは定数、λは光の波長、ｋは波数２π／λ、分母にあるｒは発光点と開口面上の点との距離、分母にあるｓは開口面上の点と点Pとの距離、ｃｏｓ（ｎ，ｒ）内のｒは発光点から開口面に向かう光線の方向ベクトル、ｃｏｓ（ｎ，ｓ）内のｓは開口面から点Pに向かう方向ベクトル、ｃｏｓ（ｎ，ｒ）、ｃｏｓ（ｎ，ｓ）内のｎは開口面の法線ベクトルを意味し、ｃｏｓ（ｎ，ｒ）、ｃｏｓ（ｎ，ｓ）は括弧内の２つのベクトルのなす方向余弦である。
【００４４】
上記計算によって得られた干渉パターンを強度分布で表し、集光点Ｐ0 に向かう光束と感光層８ｂとの重なりによって形成される円錐台の内部を同じ寸法の直方体で分割し、直方体内の光量を計算して大きい順にｎ個の直方体を抽出し、それぞれの直方体の中心の３次元位置を計算する。但し、直方体は、対物レンズ７によって無収差で集光する光スポットの３次元的強度分布である楕円体にほぼ外接する形状に相似する。ｎ個の直方体の中心に同位相の発光点（波長λ）を配置し、発光点の光量を、対応する直方体内に含まれる光量に揃える（すなわち、発光点の光強度＝直方体内に含まれる光量÷直方体の体積）。放射光源１には光量Ｎ×Ｐ×Ｔ／Ｒの発光点（波長λ）を配置し（光量Ｎ×Ｐ×Ｔ／Ｒは目安であり、これの１／３〜３倍の範囲の値であればよい）、これらの発光点から光を同時に発光させ、空間変調素子６の反射面６ａ上で形成される干渉パターンの光分布を、上記波動方程式に基づいて計算する（波動計算）。そして、この干渉パターンから位相分布を計算する。この位相分布が空間変調素子６のアクチュエータの変位情報となる。例えば、アクチュエータの位置での位相をφ（radian）とすると、反射面６ａの法線が入射光の光軸となす角をθとして、アクチュエータのミラー６ｄ１の変位量δはφλｃｏｓθ／４πであればよく、空間変調素子６にはこの条件が満たされるように制御信号が送られる。
【００４５】
光検出セルの“０”、“１”の信号割当ての組合わせは、最大で２N だけ存在する。これらの全ての組合わせについて、予め感光層８ｂで形成される干渉パターンを、上記のようにして波動計算し、さらにはこの干渉パターンを再現するための空間変調素子６のアクチュエータの変位情報を、上記のようにして波動計算しておく。そして、このアクチュエータの変位情報を、記録信号に対応させてテーブルとしてメモリに格納しておき、信号記録時にはメモリからアクチュエータの変位情報を読み取りながら記録信号を感光層８ｂに書き込んでいく。波動計算には２階積分の演算のために多大な時間を要するが、予め計算して結果をメモリに格納しておけば、信号記録時には読み出し速度に応じた速さでの記録が可能となる。メモリの読み出し速度、すなわち、パ−ソナルコンピュ−タとメモリとの間の接続の転送レートは既に数Ｇｂｐｓに達しており、感光層８ｂの感光速度が十分であることを前提として、仮に転送レートを５Ｇｂｐｓとすると、本実施の形態の情報記録再生装置においてはＤＶＤ記録再生装置の１０００倍の速さが得られる。尚、半導体プロセスによって形成されるアクチュエータの応答性は数ｋＨｚであり、仮に応答性を５ｋＨｚとすると、５Ｇｂｐｓの転送レートを得るためには、記録信号をＮ＝１０００×１０００のページデータとする必要がある。
【００４６】
感光層８ｂへの記録は、信号再生時における反射面８Ｓからの反射の影響等の全ての外乱の影響を含め、信号再生時に光検出セル上に理想的な光スポット（再生光）が投射されるようになされているので、記録信号の読み誤りは殆ど発生しない。また、情報記録媒体の構造（各層の厚さや屈折率、反射面の溝仕様、感光層の記録前後の屈折率等）が変わっても、新しい情報記録媒体の構造に対してアクチュエータの変位情報を再計算し、テーブルとしてメモリに格納するだけで、この情報記録媒体に最適化された記録再生が可能となる。
【００４７】
尚、本実施の形態においては、光源から出射された光を多数の回折光に分離する回折手段として、反射面６ａが半導体プロセスによって形成される微細なアクチュエータの集合によって構成された空間変調素子６を例に挙げて説明しているが、光の位相分布を変えることができれば、他の構成の回折手段を用いてもよい。
【００４８】
また、本実施の形態においては、反射によって光の位相分布を変えているが、透過によって光の位相分布を変える構成であってもよい。例えば、互いに対向する２枚の基板間に液晶層を挟み、基板表面の電極による電界の印加によって液晶分子の方位を変化させることにより、液晶層の屈折率を制御して、透過光の位相分布を変える方法などがある。
【００４９】
また、本実施の形態においては、空間変調素子６のアクチュエータの変位情報を決める際に、選択された光検出セルの中心に同光量で位相の揃った発光点を配置したが、他の位相条件であってもよい。例えば、碁盤の目状をなす光検出セルを、仮に市松模様をなす白と黒の２つの領域に分け、白領域の光検出セルに配置される発光点と黒領域の光検出セルに配置される発光点とでπだけ位相差を持たせるような位相条件であってもよい。この条件では隣り合う発光点の位相が必ずπずれるので、信号再生時に光検出セル上に投射される２つの近接光スポットを考える場合、両者の位相もπずれる。従って、その中間点は強度がゼロになり、２つの光スポットがはっきりと分離し、再生光のコントラストが高くなる。
【００５０】
また、本実施の形態においては、感光層８ｂ内のｎ個の直方体の中心に同位相の発光点を配置したが、必ずしも同位相である必要はなく、ｎ個の発光点から発生する光分布が感光層８ｂで形成される干渉パターンの光分布と近似するならば、他の位相条件であってもよい。
【００５１】
また、信号再生用光検出器１４の信号再生領域を構成する光検出セルの形状は方形である必要はなく、例えば、六角形などの多角形であってもよい。
【００５２】
また、集光点Ｐ0 に向かう光束と感光層８ｂとの重なりによって形成される円錐台の内部を分割する直方体も、直方体以外の形状であってもよく、例えば、六角柱などの多角柱であってもよい。
【００５３】
また、本実施の形態においては、感光層８ｂ内での光強度分布や空間変調素子６のアクチュエータの変位情報が波動計算によって求められているが、本発明は信号検出面上での再生像が最適となるように感光層内での光強度分布の制御を行うものであり、この特徴さえ満足すれば、上記以外の方法によってこれらの情報（感光層８ｂ内での光強度分布、空間変調素子６のアクチュエータの変位情報）を求めてもよい。
【００５４】
さらに、本実施の形態においては、対物レンズ７から情報記録媒体８までの光束がほぼ回転対称な関係にあるが、情報記録媒体８の反射面８Sに斜入射させるなど、回転非対称な構成であってもよく、反射面８Sで反射せずに透過する構成であってもよい。これらの場合、往路と復路で光路が違ってくるので、対物レンズ等の光学部品を別々に設けなければならない。
【産業上の利用可能性】
【００５５】
本発明は、情報記録媒体に記録信号を記録するための情報記録装置、及び情報記録媒体に記録された記録信号を再生するための情報再生装置に適用することができる。
【図面の簡単な説明】
【００５６】
【図１】図１は、本発明の一実施の形態における、信号記録時の、情報記録再生装置の断面構成と情報記録媒体の内部での光束の様子とを示す図である。
【図２】図２は、本発明の一実施の形態における、信号記録時の、情報記録再生装置の空間変調素子の構成を示しており、（ａ）は当該空間変調素子の反射面を示す平面図、（ｂ）は当該空間変調素子の断面図、（ｃ）は当該空間変調素子を構成するアクチュエータの動作状態を示す模式図である。
【図３】図３は、本発明の一実施の形態における、信号再生時の、情報記録再生装置の断面構成と情報記録媒体の内部での光束の様子とを示す図である。
【図４】図４は、本発明の一実施の形態における情報記録再生装置の信号再生用光検出器（信号検出器）の検出面を示す平面図である。
【図５】図５は、従来技術における、信号記録時の、情報記録再生装置の断面構成の一部と情報記録媒体の内部での光束の様子とを示す図である。
【図６】図６は、従来技術における、信号再生時の、情報記録再生装置の断面構成の一部と情報記録媒体の内部での光束の様子とを示す図である。
【手続補正３】
【補正対象書類名】図面
【補正対象項目名】全図
【補正方法】変更
【補正の内容】
【図１】
2008029614.tif 000011
【図２】
2008029614.tif 000012
【図３】
2008029614.tif 000013
【図４】
2008029614.tif 000014
【図５】
2008029614.tif 000015
【図６】
2008029614.tif 000016
【国際調査報告】
2008029614.tif 000017
2008029614.tif 000018
2008029614.tif 000019
2008029614.tif 000020